(57)【特許請求の範囲】
【請求項１】
上下左右に隣接する四枚の外壁パネル（１，…，１）によって形成される縦目地（２）と横目地（３）をシールすべく，交差シール部（１０），縦シール部（２０）および横シール部（３０）を備えた外壁目地シール構造であり、前記交差シール部を，縦目地と横目地が交差する交差部（４）に設けるものとし，上下の外壁パネル間に配置する水平材（１１）から，左右の外壁パネル間に配置する垂直材（１２）を立設し，かつ，水平材の前部に縦目地と略等しい横幅の凹部（１３）を形成し、前記縦シール部を，縦目地の深さ方向略中間部に沿い且つ水平材の凹部に侵入させた後側ガスケット（２１）と，縦目地の前部に沿って，後側ガスケットとの間に排水空間（２４）を開けて設けた前側ガスケット（２３）とで構成し、前記横シール部を，横目地の深さ方向略中間部に，その先端を水平材の両側面に弾接させて設けた横目地バッカー（３１）と，横目地の前部に設けた不定型シール材（３２）とで構成し、前記排水空間（２４）と前記凹部（１３）とで排水路（５）を形成してなる外壁目地シール構造。
【請求項２】
上下左右に隣接する四枚の外壁パネル（１，…，１）によって形成される縦目地（２）と横目地（３）をシールすべく，交差シール部（１０），縦シール部（２０）および横シール部（３０）を備えた外壁目地シール構造であり、前記交差シール部を，縦目地と横目地が交差する交差部（４）に設けるものとし，上下の外壁パネル間に配置する水平材（１１）から，左右の外壁パネル間に配置する垂直材（１２）を立設し，かつ，水平材の前部に縦目地と略等しい横幅の凹部（１３）を形成し、前記縦シール部を，縦目地の深さ方向略中間部に沿って設けると共に，その下部を水平材の凹部に侵入させた後上側ガスケット（２１ａ）と，該後上側ガスケット（２１ａ）の直下に，上端部を該後上側ガスケットの下端部後面に当接して設けた後下側ガスケット（２１ｂ）と，縦目地の前部に沿って，後上側ガスケットおよび後下側ガスケットとの間に排水空間（２４）を開けて設けた前側ガスケット（２３）とで構成し、前記横シール部を，横目地の深さ方向略中間部に，その先端を水平材の両側面に弾接させて設けた横目地バッカー（３１）と，横目地バッカーの前部に設けた不定型シール材（３２）とで構成し、前記排水空間（２４）と前記凹部（１３）とで排水路（５）を形成してなる外壁目地シール構造。
【請求項３】
水平材（１１）と垂直材（１２）とが別部品であることを特徴とする請求項１又は２記載の外壁目地シール構造。
【請求項４】
前側ガスケット（２３ａ，２３ｂ）が交差部（４）で上下に分割されていることを特徴とする請求項１，２又は３記載の外壁目地シール構造。
【発明の詳細な説明】
【０００１】
【発明の属する技術分野】
本発明は、建物の外壁パネル間に形成される目地を確実にシールすることのできる目地シール構造に関するものである。
【０００２】
【従来の技術】
図１乃至図３を参照して説明する。住宅などの建物の外壁パネル１，１間には縦目地２と横目地３が形成されるが、一般に、縦目地２は乾式目地材である定型ガスケット４０によってシールし、横目地３は、その形状が複雑になる箇所が多いため等の理由で湿式目地材で、後面をバッカー４２によって支持される不定型シール材４１によってシールしている。
【０００３】
この中で、定型ガスケット４０は経年変化や施工不良等に起因して、その表面より内側に水が侵入することがあっても、円滑に排水できる構造であることが必要である。
【０００４】
【発明が解決しようとする課題】
しかし、従来の外壁目地シール構造においては、縦目地２と横目地３とが交差する部分（交差部４）では、縦目地２をシールしている定型ガスケット４０を、横目地３をシールしている不定型シール材４１で覆う、いわゆる横目地勝ちの納まりとしているために外壁パネル１を傷めてしまい易いといった問題がある。
【０００５】
すなわち、定型ガスケット４０の内部（リップ４０ａ間など）に水が侵入して流下した際、交差部４において不定型シール材４１と交差する箇所では、定型ガスケット４０のリップ４０ａが不定型シール材４１に埋まった状態にあることから、その水が交差箇所で停滞してしまう。そして、外壁パネル１に傷がある場合、水がその傷に入り込み、当該外壁パネル１を傷めてしまうことになる。
【０００６】
本発明はこうした問題に鑑み創案されたもので、水が、縦目地をシールする定型ガスケットを越えて侵入しても、円滑に排水することができ、かつ、十分なシール性を発揮することのできる外壁目地シール構造を提供することを課題とする。
【０００７】
【課題を解決するための手段】
第一の発明を図４乃至図１１を参照して説明する。本発明に係る外壁目地シール構造は、上下左右に隣接する四枚の外壁パネル１，…，１によって形成される縦目地２と横目地３をシールすべく、交差シール部１０，縦シール部２０および横シール部３０を備えた外壁目地シール構造であり、前記交差シール部１０を，縦目地２と横目地３が交差する交差部４に設けるものとし，上下の外壁パネル１，１間に配置する水平材１１から，左右の外壁パネル１，１間に配置する垂直材１２を立設し，かつ，水平材１１の前部に縦目地２と略等しい横幅の凹部１３を形成し、前記縦シール部２０を，縦目地２の深さ方向略中間部に沿い且つ水平材１１の凹部１３に侵入させた後側ガスケット２１と，縦目地２の前部に沿って，後側ガスケット２１との間に排水空間２４を開けて設けた前側ガスケット２３とで構成し、前記横シール部３０を，横目地３の深さ方向略中間部に，その先端を水平材１１の両側面に弾接させて設けた横目地バッカー３１と，横目地３の前部に設けた不定型シール材３２とで構成し、前記排水空間２４と前記凹部１３とで排水路５を形成してなるものである。
【０００８】
第二の発明を、図４乃至図８・図１２乃至図１４を参照して説明する。本発明に係る外壁目地シール構造は、上下左右に隣接する四枚の外壁パネル１，…，１によって形成される縦目地２と横目地３をシールすべく、交差シール部１０，縦シール部２０および横シール部３０を備えた外壁目地シール構造であり、前記交差シール部１０を，縦目地２と横目地３が交差する交差部４に設けるものとし，上下の外壁パネル１，１間に配置する水平材１１から，左右の外壁パネル１，１間に配置する垂直材１２を立設し，かつ，水平材１１の前部に縦目地２と略等しい横幅の凹部１３を形成し、前記縦シール部２０を，縦目地２の深さ方向略中間部に沿って設けると共に，その下部を水平材１１の凹部１３に侵入させた後上側ガスケット２１ａと，該後上側ガスケット２１ａの直下に，上端部を該後上側ガスケット２１ａの下端部後面に当接して設けた後下側ガスケット２１ｂと，縦目地２の前部に沿って，後上側ガスケット２１ａおよび後下側ガスケット２１ｂとの間に排水空間２４を開けて設けた前側ガスケット２３とで構成し、前記横シール部３０を，横目地３の深さ方向略中間部に，その先端を水平材１１の両側面に弾接させて設けた横目地バッカー３１と，横目地バッカー３１の前部に設けた不定型シール材３２とで構成し、前記排水空間２４と前記凹部１３とで排水路５を形成してなるものである。
【０００９】
第三の発明は、第一及び第二の発明において、図１５に示す如く、水平材１１と垂直材１２とを別部分で構成したものである。第四の発明は、第一乃至第三の発明において図１６に示す如く前側ガスケット２３ａ，２３ｂが交差部４で上下に分割されているものである。
【００１０】
【発明の実施の形態】
本発明に係る外壁目地シール構造の第一の発明の一実施形態を、図４乃至図１１に示す。この内、図７乃至図９は組付け工程の一例を示す。この外壁目地シール構造は、上下左右に隣接する四枚の外壁パネル１，…，１によって形成される縦目地２と横目地３をシールすべく、交差シール部１０，縦シール部２０および横シール部３０を備えている。なお、外壁パネル１は、図６に示すように、外壁部１ａと本体部１ｂとで構成され、両者の間には止水シート６が設けられている。また、各外壁パネル１の角部には、図１０及び図１１に示すように、コーナー防水テープ７が貼着されている。
【００１１】
そして、交差シール部１０を、縦目地２と横目地３が交差する交差部４に設けるものとし、上下の外壁パネル１，１間に配置する水平材１１から、左右の外壁パネル１，１間に配置する垂直材１２を立設し、かつ、水平材１１の前部に縦目地２と略等しい横幅の凹部１３を形成して構成している。
【００１２】
また、縦シール部２０を、後側ガスケット２１および前側ガスケット２３で構成している。後側ガスケット２１は、縦目地２の深さ方向略中間部に沿って設けると共に、交差シール部１０の凹部１３に侵入させて配置する。そして、前側ガスケット２３は、縦目地２の前部に沿って、後側ガスケット２１との間に排水空間２４を開けて配置する。
【００１３】
また、横シール部３０を、横目地バッカー３１と不定型シール材３２とで構成している。横目地バッカー３１は、横目地３の深さ方向略中間部（前部と後部との中間部分）に、その先端を水平材１１の両側面に弾接させた状態で設けたものである。不定型シール材３２は、横目地バッカー３１の前部に設けた部材である。
【００１４】
こうした構成とすることによって、交差部４において、前側ガスケット２３を外表面に位置させた、いわゆる縦目地勝ちの納まりとし、かつ、排水空間２４と凹部１３とで垂直方向に連続する排水路５を形成している。
【００１５】
当該外壁目地シール構造の作用について説明する。雨水等の水Ｗが前側ガスケット２３のリップ間などに侵入して流下した際縦目地勝ちの納まりとしているため、交差部４で停滞することなく流下する。雨水等の水Ｗが前側ガスケット２３を越えその左右の外壁パネル１との間を通って縦目地２内に侵入すると、その水Ｗは、前側ガスケット２３と後側ガスケット２１との間に形成された排水空間２４に沿って流下する。
【００１６】
この際、縦目地２と横目地３が交差する交差部４においては、交差シール部１０が設けられ、また、その水平材１１に形成した凹部１３と排水空間２４とで連続した排水路５を形成しているので、当該水Ｗはこの排水路５を通って円滑に流下し、基礎土台等の水切り材まで流下し屋外側へ排出される。すなわち、この凹部１３によって縦シール部２０と横シール部３０とを遮断した部分を形成し、この遮断部分（凹部１３）に水Ｗを通過させる。これによって、水Ｗは、この交差部４に滞留することがなく流下し、外壁パネル１に傷が存在していても、その傷に侵入して外壁パネル１を損傷させることがない。
【００１７】
また、この外壁目地シール構造においては、縦目地２と横目地３のそれぞれに多重にシール部材を配置しているので、シール性を大きく向上させることができる。すなわち、縦目地２においては、前側ガスケット２３を一次止水材とし、後側ガスケット２１を二次止水材とし、さらに、交差シール部１０の垂直材１２を三次止水材とする三重のシール機能を持たせている。この交差シール部１０を設けたことによって、施工のバラツキ等により、後側ガスケット２１と、水平材１１との間に隙間が発生することがあっても、当該交差シール部１０の垂直材１２によって水Ｗのそれ以上の侵入を未然に阻止することができる。
【００１８】
また、横目地３にあっては、不定型シール材３２を一次止水材とし、横目地バッカー３１および交差シール部１０の水平材１１を二次止水材として、二重のシール機能を持たせている。特に、交差シール部１０の水平材１１は、上下の外壁パネル１，１に強く挟まれるので、横目地３の後部で、当該横目地３に水Ｗが侵入し得る隙間を塞ぐ役目を果たす。これによって、シール性がさらに高められる。
【００１９】
なお、横目地バッカー３１は、不定型シール材３２を支持するバッカーとしてのはたらきの他、止水材自体としての役目も果たす。従って、不定型シール材３２に切れが発生した場合でも、二次止水材である横目地バッカー３１によって防水できる。
【００２０】
第二の発明の実施例を図４乃至図８・図１２乃至図１４を参考にして説明する。第一の発明における後側ガスケット２１を、第二の発明においては後上側ガスケット２１ａと，後下側ガスケット２１ｂで構成している。この内、後上側ガスケット２１ａは、縦目地２の深さ方向略中間部に沿って設けると共に、その下部を水平材１１の凹部１３に侵入させて配置する。また、後下側ガスケット２１ｂは、後上側ガスケット２１ａの直下に、上端部をその後上側ガスケット２１ａの下端部後面に当接して配置する。後側ガスケット２１を上下に分割２１ａ，２１ｂすると、取付け作業性は向上するが、シール性は若干低下する。
【００２１】
図１５に示す第三の発明の実施例は、水平材１１と垂直材１２とを別部品で構成したものであるが、両面テープや接着剤等にて一体化させたものを使用してもよい。また、別部品とした垂直材１２を外壁パネル１に両面テープ等により先付けし、外壁パネル１を組付けと同時に垂直材１２と水平材１１を合わせるようにしてもよい。この際、垂直材１２に対して水平材１１がラップするように外壁パネル１下端より垂直材１２を少し喰出させておくことが好ましい。
【００２２】
図１６に示す第四の発明の実施例は、第一乃至第三の発明における前側ガスケット２３を交差部４で前上側ガスケット２３ａと前下側ガスケット２３ｂとに分割したものである。前側ガスケット２３を上下に分割２３ａ，２３ｂすると、取付け作業性は向上するが、シール性と外観は若干低下する。
【００２３】
【発明の効果】
本発明に係る外壁目地シール構造は、縦目地２と横目地３が交差する交差部４に交差シール部１０を設け、その水平材１１に形成した凹部１３と、前側ガスケット２３と後側ガスケット２１との間に形成した排水空間２４とで、連続した排水路５を形成したので、侵入した水Ｗをこの排水路５によって円滑に流下させ外に排出することができる。これによって、外壁パネル１を水Ｗによって損傷させることがない。
【００２４】
また、この外壁目地シール構造は、縦シール部２０に二重のシール機能を持たせる（特に交差部に至っては三重のシール機能を持たせている。）と共に、横シール部３０に二重のシール機能を持たせているので、高いシール性を発揮することができる。
【図面の簡単な説明】
【図１】    従来例を示す正面斜視図である。
【図２】    図１におけるＡ−Ａ線断面図である。
【図３】    図１におけるＢ−Ｂ線断面図である。
【図４】    本発明の実施形態を示す正面図である。
【図５】    本発明の図４におけるＣ−Ｃ線断面図である。
【図６】    本発明の図４におけるＤ−Ｄ線断面図である。
【図７】    第一及び第二の発明の実施形態の一部を示す分解斜視図である。
【図８】    第一及び第二の発明の実施形態の一部を示す斜視図である。
【図９】    第一の発明の実施形態を示す分解斜視図である。
【図１０】  第一の発明の図４におけるＥ−Ｅ線断面図である。
【図１１】  第一の発明の図４におけるＦ−Ｆ線断面図である。
【図１２】  第二の発明の実施形態を示す分解斜視図である。
【図１３】  第二の発明の図４におけるＥ−Ｅ線断面図である。
【図１４】  第二の発明の図４におけるＦ−Ｆ線断面図である。
【図１５】  第三の発明の実施形態を示す一部の分解斜視図である。
【図１６】  第四の発明の図４におけるＥ−Ｅ線断面図である。
【符号の説明】
１      外壁パネル
１ａ    外壁部
１ｂ    本体部
２      縦目地
３      横目地
４      交差部
５      排水路
６      止水シート
７      コーナー防水テープ
１０    交差シール部
１１    水平材
１２    垂直材
１３    凹部
２０    縦シール部
２１    後側ガスケット
２１ａ    後上側ガスケット
２１ｂ    後下側ガスケット
２３    前側ガスケット
２３ａ    前上側ガスケット
２３ｂ    前下側ガスケット
２４    排水空間
３０    横シール部
３１    横目地バッカー
３２    不定型シール材
４０    定型ガスケット
４０ａ  リップ
４１    不定型シール材
４２    バッカー
Ｗ      水
【図１】
0003747363.tif 000002
【図２】
0003747363.tif 000003
【図３】
0003747363.tif 000004
【図４】
0003747363.tif 000005
【図５】
0003747363.tif 000006
【図６】
0003747363.tif 000007
【図７】
0003747363.tif 000008
【図８】
0003747363.tif 000009
【図９】
0003747363.tif 000010
【図１０】
0003747363.tif 000011
【図１１】
0003747363.tif 000012
【図１２】
0003747363.tif 000013
【図１３】
0003747363.tif 000014
【図１４】
0003747363.tif 000015
【図１５】
0003747363.tif 000016
【図１６】
0003747363.tif 000017